【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
非同期転送モード／ディジタル加入者線のヘッドエンド・ネットワークであって、
加入者宅内機器を非同期転送モードのマルチプレクサに結合させるための加入者線終端と、
利用可能なタイム・スロットに基づいて音声チャネルにトラフィックを割り当てることにより、ヘッドエンド・ネットワークを介してコール・トラフィックを管理するネットワーク制御システムと、からなり、
前記ネットワーク制御システムは、マルチプレクサと非同期転送モード・スイッチとの間の遠距離通信トラフィックをチャネルに集中させる割り当て機構を具えて、音声チャネルの数を上回る加入者線終端を補償する、前記非同期転送モード／ディジタル加入者線のヘッドエンド・ネットワーク。
【請求項２】
割り当て機構が、コールの優先順位に従って音声チャネルを割り当てる、請求項１記載のネットワーク。
【請求項３】
加入者線終端の数が音声チャネル数の２倍を超える、請求項１記載のネットワーク。
【請求項４】
音声チャネルが、電話会社のスイッチに連結するディジタル信号１（ＤＳ１）のリンクに含まれる、請求項１記載のネットワーク。
【請求項５】
遠距離通信トラフィックが音声とデータの転送を含む、請求項１記載のネットワーク。
【請求項６】
割り当て機構が、ネットワーク制御システムに記憶されるソフトウェア・アプリケーションとして具体化される、請求項１記載のネットワーク。
【請求項７】
ディジタル加入者線のヘッドエンド・ネットワークにトラフィックを集中させる方法であって、
電話インタフェースのための加入者線終端を装備するステップと、
電話回路網を使用するために電話会社からタイム・スロットを割り当てるステップと、
ヘッドエンド・ネットワークを介して情報を送信／受信するためにチャネルを使用することにより、ネットワーク制御システムを使用してタイム・スロットを管理するステップと、
加入者線終端と非同期転送モード・スイッチの間の遠距離通信トラフィックをチャネルに集中させて、利用可能なチャネル数を上回る加入者線終端の数を補償するステップと、からなる、前記方法。
【請求項８】
遠距離通信トラフィックを集中させるステップが、
ヘッドエンド・ネットワーク上でデマンドを評価するステップと、
前記デマンドに基づいて、利用可能なチャネル数と加入者線終端数との比率を決定するステップと、を含む、請求項７記載の方法。
【請求項９】
前記比率が２より大きい、請求項８記載の方法。
【請求項１０】
前記比率が１０より大きい、請求項８記載の方法。
【請求項１１】
電話会社によってトラフィックを追加的に集中させるステップを更に含む、請求項７記載の方法。
【請求項１２】
タイム・スロットを管理するステップが、入りコール／出コールを優先順位の基準に従って各チャネルに割り当てるステップを含む、請求項７記載の方法。
【請求項１３】
優先順位の基準に、先入れ先出し法基準を含む、請求項１２記載の方法。
【請求項１４】
優先順位の基準として、出コールよりも入りコールを優先する、請求項１２記載の方法。
【請求項１５】
優先順位の基準として、データよりも音声を優先する、請求項１２記載の方法。
【請求項１６】
電話会社と加入者宅内機器との間の接続を行うために、ヘッドエンド・ネットワークを介して仮想回路を設定するステップを含む、請求項７記載の方法。
【手続補正２】
【補正対象書類名】明細書
【補正対象項目名】発明の名称
【補正方法】変更
【補正の内容】
【発明の名称】ディジタル加入者線のヘッドエンド・ネットワークおよび該ヘッドエンド・ネットワークにトラフィックを集中させる方法
【手続補正３】
【補正対象書類名】明細書
【補正対象項目名】００１０
【補正方法】変更
【補正の内容】
【００１０】
本発明の利点、性質、および種々の付加的特徴は、添付されている図面に関連して以下に詳細に説明される実施例を考慮することで充分に明確となる。図面は本発明のコンセプトを説明することを目的とし、必ずしも、本発明の唯一の構成を示すものではない。
特許請求の範囲と実施例との対応関係を実施例で使われている参照符号を用いて示すと以下の通りである。
（請求項１）
非同期転送モード／ディジタル加入者線のヘッドエンド・ネットワークであって、
加入者宅内機器を非同期転送モードのマルチプレクサに結合させるための加入者線終端と、
利用可能なタイム・スロットに基づいて音声チャネルにトラフィックを割り当てることにより、ヘッドエンド・ネットワーク（１）を介してコール・トラフィックを管理するネットワーク制御システム（１１）と、からなり、
前記ネットワーク制御システムは、マルチプレクサと非同期転送モード・スイッチとの間の遠距離通信トラフィックをチャネルに集中させる割り当て機構を具えて、音声チャネルの数を上回る加入者線終端を補償する、前記非同期転送モード／ディジタル加入者線のヘッドエンド・ネットワーク。
（請求項２）
割り当て機構（３１）が、コールの優先順位に従って音声チャネルを割り当てる、請求項１記載のネットワーク。
（請求項３）
加入者線終端の数が音声チャネル数の２倍を超える、請求項１記載のネットワーク。
（請求項４）
音声チャネルが、電話会社のスイッチ（１５）に連結するディジタル信号１（ＤＳ１）のリンクに含まれる、請求項１記載のネットワーク。
（請求項５）
遠距離通信トラフィックが音声とデータの転送を含む、請求項１記載のネットワーク。（請求項６）
割り当て機構（３１）が、ネットワーク制御システム（１１）に記憶されるソフトウェア・アプリケーションとして具体化される、請求項１記載のネットワーク。
（請求項７）
ディジタル加入者線のヘッドエンド・ネットワークにトラフィックを集中させる方法であって、
電話インタフェースのための加入者線終端を装備するステップと、
電話回路網を使用するために電話会社からタイム・スロットを割り当てるステップ（２０２）と、
ヘッドエンド・ネットワークを介して情報を送信／受信するためにチャネルを使用することにより、ネットワーク制御システムを使用してタイム・スロットを管理するステップ（２０４）と、
加入者線終端と非同期転送モード・スイッチの間の遠距離通信トラフィックをチャネルに集中させて（ステップ２０４）、利用可能なチャネル数を上回る加入者線終端の数を補償するステップと、からなる、前記方法。
（請求項８）
遠距離通信トラフィックを集中させるステップが、
ヘッドエンド・ネットワーク上でデマンドを評価するステップと、
前記デマンドに基づいて、利用可能なチャネル数と加入者線終端数との比率を決定するステップ（２００）と、を含む、請求項７記載の方法。
（請求項９）
前記比率が２より大きい、請求項８記載の方法。
（請求項１０）
前記比率が１０より大きい、請求項８記載の方法。
（請求項１１）
電話会社によってトラフィックを追加的に集中させるステップ（２１０）を更に含む、請求項７記載の方法。
（請求項１２）
タイム・スロットを管理するステップが、入りコール／出コールを優先順位の基準に従って各チャネルに割り当てるステップ（２０６）を含む、請求項７記載の方法。
（請求項１３）
優先順位の基準に、先入れ先出し法基準を含む、請求項１２記載の方法。
（請求項１４）
優先順位の基準として、出コールよりも入りコールを優先する、請求項１２記載の方法。
（請求項１５）
優先順位の基準として、データよりも音声を優先する、請求項１２記載の方法。
（請求項１６）
電話会社と加入者宅内機器との間の接続を行うために、ヘッドエンド・ネットワークを介して仮想回路を設定するステップ（２０８）を含む、請求項７記載の方法。